(57)【要約】【課題】例外的な通行が可能となる出入管理装置を得る。【解決手段】カードリーダ端末２は、例外的な通行理由を入力する通行理由入力手段２３と、通行理由の入力を催促する通行理由入力催促手段２４を含み、中央処理装置１は、個人ＩＤ毎に通行可能な場所、時間帯を記憶する個人情報ＤＢ１４と、通行履歴情報を記録する通行履歴ＤＢと、カードリーダ端末２により認識した個人ＩＤと個人情報ＤＢ１４の個人ＩＤとを照合して同じ個人ＩＤがあった場合に、カードリーダ端末２が前記同じ個人ＩＤの通行可能な場所に設置されており、かつ現在時刻が前記同じ個人ＩＤの通行可能な時間帯でないときには、通行理由入力催促手段２４により通行理由入力手段２３を操作する必要があることを知らせ、通行理由入力手段２３が操作されたら例外的な通行を許可し、例外的な通行理由で通行があったことを前記通行履歴ＤＢに記録するカードＩＤ照合手段１３とを含む。【選択図】図１
2008214862.tif 000002
【特許請求の範囲】
【請求項１】
ドアの近辺に設置された認証装置と、
本来ならば通行できない場所、時間帯でも、前記認証装置により個人識別できた場合には、例外的な通行の理由を設定することで例外的な通行を許可する中央処理装置とを備えた出入管理装置であって、
前記認証装置は、
例外的な通行理由を入力するための通行理由入力手段と、
前記通行理由入力手段により例外的な通行理由を入力するように催促するための通行理由入力催促手段とを有し、
前記中央処理装置は、
個人ＩＤ毎に通行可能な場所及び時間帯を記憶する個人情報データベースと、
通行履歴情報を記録するための通行履歴データベースと、
前記認証装置により認識した通行希望者の個人ＩＤと前記個人情報データベースに記憶された個人ＩＤとを照合して同じ個人ＩＤがあった場合に、前記認証装置が前記個人情報データベースに記憶されている前記同じ個人ＩＤの通行可能な場所に設置されており、かつ現在時刻が前記個人情報データベースに記憶されている前記同じ個人ＩＤの通行可能な時間帯でないときには、前記通行理由入力催促手段によって前記通行理由入力手段を操作する必要があることを知らせ、前記通行理由入力手段が操作されたら例外的な通行を許可し、前記通行理由入力手段によって入力された例外的な通行理由で通行があったことを前記通行履歴データベースに記録する照合手段とを有する
ことを特徴とする出入管理装置。
【請求項２】
ドアの近辺に設置された認証装置と、
本来ならば通行できない場所、時間帯でも、前記認証装置により個人識別できた場合には、例外的な通行の理由を設定することで例外的な通行を許可する中央処理装置とを備えた出入管理装置であって、
前記認証装置は、
例外的な通行理由を入力するための通行理由入力手段と、
前記通行理由入力手段により例外的な通行理由を入力するように催促するための通行理由入力催促手段とを有し、
前記中央処理装置は、
個人ＩＤ毎に通行可能な場所、通行可能な時間帯及び通行理由設定権限を記憶する個人情報データベースと、
通行履歴情報を記録するための通行履歴データベースと、
前記認証装置により認識した通行希望者の個人ＩＤと前記個人情報データベースに記憶された個人ＩＤとを照合して同じ個人ＩＤがあった場合に、前記認証装置が前記個人情報データベースに記憶されている前記同じ個人ＩＤの通行可能な場所に設置されており、かつ現在時刻が前記個人情報データベースに記憶されている前記同じ個人ＩＤの通行可能な時間帯でないときには、前記通行理由入力催促手段によって、通行が許可された通行許可者に前記認証装置を操作する必要があることを知らせ、
前記認証装置により認識した前記通行許可者の個人ＩＤと前記個人情報データベースに記憶された個人ＩＤとを照合して同じ個人ＩＤがあった場合に、前記個人情報データベースに前記同じ個人ＩＤの通行理由設定権限が設定されているときには、前記通行理由入力催促手段によって前記通行理由入力手段を操作する必要があることを知らせ、前記通行理由入力手段が操作されたら例外的な通行を許可し、前記通行理由入力手段によって入力された例外的な通行理由で通行があったこと及び前記通行許可者の個人情報を前記通行履歴データベースに記録する照合手段とを有する
ことを特徴とする出入管理装置。
【請求項３】
ドアの近辺に設置された認証装置と、
前記認証装置と離れた場所に設置された表示処理装置と、
本来ならば通行できない場所、時間帯でも、前記認証装置により個人識別できた場合には、例外的な通行の理由を設定することで例外的な通行を許可する中央処理装置とを備えた出入管理装置であって、
前記認証装置は、
例外的な通行理由を入力するための通行理由入力手段と、
前記通行理由入力手段により例外的な通行理由を入力するように催促するための通行理由入力催促手段とを有し、
前記中央処理装置は、
個人ＩＤ毎に通行可能な場所及び時間帯を記憶する個人情報データベースと、
通行履歴情報を記録するための通行履歴データベースと、
前記認証装置により認識した通行希望者の個人ＩＤと前記個人情報データベースに記憶された個人ＩＤとを照合して同じ個人ＩＤがあった場合に、前記認証装置が前記個人情報データベースに記憶されている前記同じ個人ＩＤの通行可能な場所に設置されており、かつ現在時刻が前記個人情報データベースに記憶されている前記同じ個人ＩＤの通行可能な時間帯でないときには、前記通行理由入力催促手段によって前記通行理由入力手段を操作する必要があることを知らせ、前記通行理由入力手段が操作されたら、前記通行理由入力催促手段によって通信中であることを知らせ、前記通行希望者の個人情報、及び前記通行理由入力手段によって入力された例外的な通行理由を含む通行承認要求を前記表示処理装置へ送信し、前記表示処理装置から通行承認許可応答を受信した場合には、例外的な通行を許可し、前記通行理由入力手段によって入力された例外的な通行理由で通行があったこと及び通行許可者の個人情報を前記通行履歴データベースに記録する照合手段とを有し、
前記表示処理装置は、
前記中央処理装置から前記通行承認要求を受信すると、前記通行希望者の個人情報、及び前記通行理由入力手段によって入力された例外的な通行理由を表示する個人情報表示手段と、
表示内容に基づき通行許可者により許可操作されたときには、通行承認許可応答を前記中央処理装置へ送信する通行承認手段とを有する
ことを特徴とする出入管理装置。
【発明の詳細な説明】
【技術分野】
【０００１】
この発明は、通行時間帯や許可された通行場所以外でも通行理由を設定して例外的に通行を許可する出入管理装置に関するものである。
【背景技術】
【０００２】
従来の出入管理装置は、例えば、通勤時間帯のみ通行可と設定されていた場合に、交通機関の遅れなどにより通行可能な時間帯から遅れてしまった場合には、有人の守衛所に寄って入場したり、インターホンなどで守衛所に連絡して入場することになる（例えば、特許文献１参照）。このため、広い敷地を迂回する必要があったり、守衛所はインターホンなどの連絡に都度応対しなければならない。さらに、このような通行は、時間帯以外の操作として不正であること、つまり、通行できなかったことが記録されるのであって、例外的に通行させたという記録自体が残らないという問題点があった。通行したことが記録されないために、出退勤など通行した記録が必要な管理を困難にさせる原因となることがあった。
【０００３】
【特許文献１】特開平６―１８５２４９号公報
【発明の開示】
【発明が解決しようとする課題】
【０００４】
上述したような従来の出入管理装置では、例外的に通行させたという記録が残らず、出退勤など通行した記録が必要な管理を困難にさせるという問題点があった。
【０００５】
この発明は、上述のような課題を解決するためになされたもので、その目的は、例外的な通行の理由を記録したうえで例外的な通行が可能となり、都度管理者などに依頼して通行させてもらうなどの手間を省くことができる出入管理装置を得るものである。
【課題を解決するための手段】
【０００６】
この発明に係る出入管理装置は、ドアの近辺に設置された認証装置と、本来ならば通行できない場所、時間帯でも、前記認証装置により個人識別できた場合には、例外的な通行の理由を設定することで例外的な通行を許可する中央処理装置とを設けた出入管理装置であって、前記認証装置は、例外的な通行理由を入力するための通行理由入力手段と、前記通行理由入力手段により例外的な通行理由を入力するように催促するための通行理由入力催促手段とを含み、前記中央処理装置は、個人ＩＤ毎に通行可能な場所及び時間帯を記憶する個人情報データベースと、通行履歴情報を記録するための通行履歴データベースと、前記認証装置により認識した通行希望者の個人ＩＤと前記個人情報データベースに記憶された個人ＩＤとを照合して同じ個人ＩＤがあった場合に、前記認証装置が前記個人情報データベースに記憶されている前記同じ個人ＩＤの通行可能な場所に設置されており、かつ現在時刻が前記個人情報データベースに記憶されている前記同じ個人ＩＤの通行可能な時間帯でないときには、前記通行理由入力催促手段によって前記通行理由入力手段を操作する必要があることを知らせ、前記通行理由入力手段が操作されたら例外的な通行を許可し、前記通行理由入力手段によって入力された例外的な通行理由で通行があったことを前記通行履歴データベースに記録する照合手段とを含むものである。
【発明の効果】
【０００７】
この発明に係る出入管理装置は、例外的な通行の理由を記録したうえで例外的な通行が可能となり、都度管理者などに依頼して通行させてもらうなどの手間を省くことができるという効果を奏する。
【発明を実施するための最良の形態】
【０００８】
実施の形態１．
この発明の実施の形態１に係る出入管理装置について図１から図３までを参照しながら説明する。図１は、この発明の実施の形態１に係る出入管理装置の構成を示すブロック図である。なお、以下の各実施の形態の説明中では認証装置として、ＩＣカード、光カード、磁気カードなどの各種のカードを使用したカードリーダ端末の例によって説明しているが、カードである必要はなく、テンキー装置、指紋認識装置、声紋認識装置、網膜認識装置、静脈認識装置などの他の認証手段であっても構わない。また、以降では、各図中、同一符号は同一又は相当部分を示す。
【０００９】
図１において、この実施の形態１に係る出入管理装置は、中央処理装置１と、ドアの近辺に設置されたカードリーダ端末２とが設けられている。
【００１０】
中央処理装置１は、カード発行手段１１と、個人情報設定手段１２と、カードＩＤ照合手段（照合手段）１３と、ハードディスク装置などに格納された個人情報データベース１４とが設けられている。カード発行手段１１、個人情報設定手段１２、及びカードＩＤ照合手段１３は、ＣＰＵ上で動作するソフトウェアで構成されている。なお、図示していないが、通行履歴情報を記録するための通行履歴データベースが設けられている。
【００１１】
カードリーダ端末２は、カードデータ読取り手段２１と、電気錠制御手段２２と、通行理由入力手段２３と、通行理由入力催促手段２４とが設けられている。
【００１２】
カード発行手段１１は、運用されるカードを発行する。個人情報設定手段１２は、カードデータの元となる個人情報（カードの属性：どの場所でどの時間帯に通行可能として良いか）を個人情報データベース１４に設定する。カードＩＤ照合手段１３は、個人情報を元にカードリーダ端末２から上がってくるカードデータのＩＤを照合したりする。個人情報データベース１４は、個人ＩＤ毎に、有効場所、有効時間などの個人情報を記憶する。
【００１３】
カードデータ読取り手段２１は、カードからカードデータを読取る。電気錠制御手段２２は、ドアに設置された電気錠の施錠、解錠を制御する。通行理由入力手段２３は、事故、天候等による「交通機関の遅れ」や、午前が休暇の「半休」などの理由が印刷された複数のボタンであり、操作者はいずれかを選択して例外的な通行理由を入力する。通行理由入力催促手段２４は、例えば、ランプであり、このランプが点灯することで操作者は通行理由入力手段２３により通行理由を入力しなければならないことがわかる。
【００１４】
つぎに、この実施の形態１に係る出入管理装置の動作について図面を参照しながら説明する。図２及び図３は、この発明の実施の形態１に係る出入管理装置の動作を示すフローチャートである。
【００１５】
まず、読取ったカードデータから個人情報を特定する（ステップ１０１〜１０３）。すなわち、カードリーダ端末２でカードがアクセスされる。カードデータ読取り手段２１は、カードからカードデータを読取って、中央処理装置１へ送る。中央処理装置１のカードＩＤ照合手段１３は、カードリーダ端末２のカードデータ読取り手段２１から上がってくるカードデータのＩＤを、個人情報データベース１４に記憶されている個人ＩＤを元に照合する。
【００１６】
個人情報が見つからなければ（ステップ１０４：ＮＯ）、このカードは使用できないため、カードＩＤ照合手段１３は、読取った情報により不正通行を通行履歴データベース（図示せず）に記録する（ステップ１１６）。
【００１７】
個人情報が存在すれば（ステップ１０４：ＹＥＳ）、カードＩＤ照合手段１３は、当該カードリーダ端末２が個人情報データベース１４に記憶されている個人ＩＤの通行可能な場所に設置されているか、つまり、当該個人情報に当該カードリーダ端末２に割り当てられた通行場所を通行する権限が設定されているか確認する（ステップ１０５）。
【００１８】
通行する権限が設定されていなければ（ステップ１０５：ＮＯ）、カードＩＤ照合手段１３は、当該個人情報により不正通行を通行履歴データベースに記録する（ステップ１１６）。
【００１９】
通行する権限が設定されていれば（ステップ１０５：ＹＥＳ）、カードＩＤ照合手段１３は、現在時刻が個人情報データベース１４に記憶されている個人ＩＤの通行可能な時間帯であるか確認する（ステップ１０６）。
【００２０】
通行可能な時間帯であれば（ステップ１０６：ＹＥＳ）、通行理由は通常動作であり（ステップ１０７）、カードＩＤ照合手段１３の指令に基づき、電気錠制御手段２２は、電気錠を一時的に解錠し（ステップ１０８）、カードＩＤ照合手段１３は、通行があったことを通行履歴データベースに記録する（ステップ１０９）。このとき記録される通行理由は、ステップ１０７で設定された「通常」となる。
【００２１】
一方、通行可能な時間帯でなければ（ステップ１０６：ＮＯ）、カードＩＤ照合手段１３は、通行理由入力催促手段２４によって操作者に通行理由入力手段２３を操作する必要があることを知らせる（ステップ１１０）。この通行理由入力手段２３が操作されたら（ステップ１１１：ＹＥＳ）、通行理由を操作された理由とし（ステップ１１２）、カードＩＤ照合手段１３は、通行理由入力催促手段２４の表示を消去（ステップ１１３）する。次に、例外的な通行を許可すべく、電気錠制御手段２２により、電気錠を一時的に解錠し（ステップ１０８）、カードＩＤ照合手段１３は、通行があったことを通行履歴データベースに記録する（ステップ１０９）。このとき記録される通行理由は、ステップ１１２で設定された通行理由入力手段２３によって入力された理由となる。
【００２２】
通行理由入力手段２３の操作は、一定時間（例えば、１０秒程度）待ち（ステップ１１４）、一定時間の間に通行理由入力手段２３が操作されなければ（ステップ１１４：ＹＥＳ）、カードＩＤ照合手段１３は、通行理由入力催促手段２４の表示を消去（ステップ１１５）し、不正通行を通行履歴データベースに記録する（ステップ１１６）。
【００２３】
この実施の形態１によれば、認証装置による個人識別で認証された個人情報の属性や、通行場所の属性として、通行場所毎に通行可能時間帯が設定できる出入管理装置において、本来ならば通行できない時間帯、通行場所でも、認証装置により個人識別できた場合には、例外的な通行の理由を設定することを促す通行理由入力催促手段２４により、通行希望者に例外的な通行の理由を設定すれば通行可能であることを知らせ、通行希望者が例外的な通行の理由を設定するための通行理由入力手段２３を操作することで例外的な通行を許可することができる。これにより、例外的な通行の理由を記録したうえで例外的な通行が可能となり、都度管理者などに依頼して通行させてもらうなどの手間を省くことができる。
【００２４】
実施の形態２．
この発明の実施の形態２に係る出入管理装置について図４から図６までを参照しながら説明する。図４は、この発明の実施の形態２に係る出入管理装置の構成を示すブロック図である。この実施の形態２の構成は、基本的には上記の実施の形態１と同様である。
【００２５】
図４において、この実施の形態２では、個人情報データベース１４Ａに個人ＩＤ毎に通行理由設定権限が設定できる。個人情報設定手段１２は、任意の個人情報に対して通行理由設定権限を設定することができる。通行理由入力催促手段２４には、通行者以外の同行者、あるいは、守衛所の管理者などの通行許可者のカードを操作することを促すための、例えばランプ１点灯状態と、通行理由入力手段２３を操作することを促すための、例えばランプ２点灯状態とがある。
【００２６】
つぎに、この実施の形態２に係る出入管理装置の動作について図面を参照しながら説明する。図５及び図６は、この発明の実施の形態２に係る出入管理装置の動作を示すフローチャートである。なお、この実施の形態２は、基本的な動作は上記の実施の形態１と同様である。
【００２７】
まず、読取ったカードデータから個人情報を特定する（ステップ２０１〜２０３）。
【００２８】
個人情報が見つからなければ（ステップ２０４：ＮＯ）、このカードは使用できないため、読取った情報により不正通行を記録する（ステップ２２６）。
【００２９】
個人情報が存在すれば（ステップ２０４：ＹＥＳ）、当該個人情報に当該カードリーダ端末２に割り当てられた通行場所を通行する権限が設定されているか確認する（ステップ２０５）。
【００３０】
通行する権限が設定されていなければ（ステップ２０５：ＮＯ）、当該個人情報により不正通行を記録する（ステップ２２６）。
【００３１】
通行する権限が設定されていれば（ステップ２０５：ＹＥＳ）、通行可能な時間帯であるか確認する（ステップ２０６）。
【００３２】
通行可能な時間帯であれば（ステップ２０６：ＹＥＳ）、通行理由は通常動作であり（ステップ２０７）、電気錠を一時的に解錠し（ステップ２０８）、通行があったことを記録する（ステップ２０９）。このとき記録される通行理由は、ステップ２０７で設定された「通常」となる。
【００３３】
通行可能な時間帯でなければ（ステップ２０６：ＮＯ）、カードＩＤ照合手段１３は、当該カードリーダ端末２の通行理由入力催促手段２４によって通行許可者に、通行許可者自身のカードを操作する必要があることを知らせる、例えばランプ１点灯状態とする（ステップ２１０）。通行許可者のカードが読み取れるまで一定時間（例えば、１０秒程度）待ち（ステップ２２４）、読み取れなかった場合は、カードＩＤ照合手段１３は、通行理由入力催促手段２４の表示を消去（ステップ２２５）し、不正通行を通行履歴データベースに記録する（ステップ２２６）。
【００３４】
カードが読取れたら（ステップ２１１：ＹＥＳ）、カードデータから個人情報を特定する（ステップ２１２〜２１３）。
【００３５】
個人情報が存在しなかったり（ステップ２１４：ＮＯ）、存在しても（ステップ２１４：ＹＥＳ）、当該個人に通行理由設定権限が設定されていなければ（ステップ２１５：ＮＯ）、通行理由は設定できないので通行も許可されず、カードＩＤ照合手段１３は、通行理由入力催促手段２４の表示を消去（ステップ２２５）し、不正通行を通行履歴データベースに記録する（ステップ２２６）。
【００３６】
個人情報が存在して（ステップ２１４：ＹＥＳ）、当該個人情報に通行理由設定権限が設定されていれば（ステップ２１５：ＹＥＳ）、カードＩＤ照合手段１３は、通行理由入力催促手段２４によって通行許可者に通行理由入力手段２３を操作する必要があることを知らせる、例えばランプ２点灯状態とする（ステップ２１６）。
【００３７】
通行理由入力手段２３が操作されたら（ステップ２１７：ＹＥＳ）、カードＩＤ照合手段１３は、通行理由を操作された理由とし（ステップ２１８）、通行理由入力催促手段２４の表示を消去（ステップ２１９）し、電気錠制御手段２２により、電気錠を一時的に解錠し（ステップ２２０）、通行があったことを通行履歴データベースに記録する（ステップ２２１）。このとき記録される通行理由は、ステップ２１８で設定された通行理由入力手段２３の操作による理由となる。そして、通行許可者として認証された個人情報の記録を通行履歴データベースに残す（ステップ２２２）。これにより通行を許可した者が記録される。
【００３８】
通行理由入力手段２３の操作は、一定時間（例えば、１０秒程度）待ち（ステップ２２３）、一定時間の間に通行理由入力手段２３が操作されなければ（ステップ２２３：ＹＥＳ）、カードＩＤ照合手段１３は、通行理由入力催促手段２４の表示を消去（ステップ２２５）し、不正通行を通行履歴データベースに記録する（ステップ２２６）。
【００３９】
上記の実施の形態１は、通行者自身の操作によるものであるが、この実施の形態２では、比較的機密度が高い通行場所については例外的な通行の理由を設定するための操作を行える権限情報を個人情報に持たせる。本来ならば通行できない時間帯、通行場合でも認証装置によって通行希望者が個人識別できた場合には、例外的な通行の理由を設定することを促す通行理由入力催促手段２４により、通行希望者とは別の通行許可者に、通行許可者を個人認証して例外的な通行の理由を設定すれば当該通行希望者を通行させることが可能であることを知らせる。通行許可者が、自身を個人識別させてから例外的な通行の理由を設定するための通行理由入力手段２３を操作することで、当該通行希望者が例外的に通行することが可能になる。これにより、特別の権限を与えられた者が理由の妥当性を判定して例外的な通行を許可することができる。また、通行許可した者は認証装置により認証されているので、誰が通行を許可したのかも合せて記録することができる。
【００４０】
実施の形態３．
この発明の実施の形態３に係る出入管理装置について図７から図１０までを参照しながら説明する。図７は、この発明の実施の形態３に係る出入管理装置の構成を示すブロック図である。
【００４１】
図７において、この実施の形態３に係る出入管理装置は、中央処理装置１と、カードリーダ端末２と、このカードリーダ端末２と離れた場所に設置された表示処理装置３とが設けられている。
【００４２】
中央処理装置１は、カード発行手段１１と、個人情報設定手段１２と、カードＩＤ照合手段１３と、ハードディスク装置などに格納された個人情報データベース１４と、表示処理装置通信手段１５とが設けられている。
【００４３】
カードリーダ端末２は、カードデータ読取り手段２１と、電気錠制御手段２２と、通行理由入力手段２３と、通行理由入力催促手段２４とが設けられている。通行理由入力催促手段２４には、通行理由入力手段２３を操作することを促すための、例えばランプ１点灯状態と、許可待ち（通信中）であることを知らせるための、例えばランプ２点灯状態とがある。
【００４４】
表示処理装置３は、中央処理装置通信手段３１と、カードリーダ操作者個人情報表示手段（個人情報表示手段）３２と、通行承認手段３３とが設けられている。
【００４５】
この実施の形態３では、表示処理装置３が、表示処理装置通信手段１５及び中央処理装置通信手段３１によって中央処理装置１と接続されている。カードリーダ端末２によって通行理由が設定されると、通信手段１５、３１によって中央処理装置１から送られた理由を承認することを要求する電文が表示処理装置３に送られる。理由を承認することを要求する電文を受信した表示処理装置３は、カードリーダ操作者個人情報表示手段３２により、当該個人の氏名などの情報と理由をディスプレイ上に表示したり、要求があったことを表すためにブザーを鳴動させたりする。
【００４６】
表示処理装置３の操作者が理由を承認できたら、通行承認手段３３を許可操作する。これにより、表示処理装置３から通信手段３１、１５を介して中央処理装置１に通行承認許可応答が送信される。通行承認許可応答を受信した中央処理装置１は、カードリーダ端末２の電気錠制御手段２２に一時解錠を指示する。
【００４７】
表示処理装置３の操作者が理由を承認しなければ、通行承認手段３３を不可操作する。これにより、表示処理装置３から通信手段３１、１５を介して中央処理装置１に通行承認不可応答が送信される。この通行承認不可応答を受信した中央処理装置１は、不正操作と判断する。
【００４８】
つぎに、この実施の形態３に係る出入管理装置の動作について図面を参照しながら説明する。図８及び図９は、この発明の実施の形態３に係る出入管理装置の動作を示すフローチャートである。また、図１０は、この発明の実施の形態３に係る出入管理装置の表示処理装置の動作を示すフローチャートである。なお、この実施の形態３は、基本的な動作は上記の実施の形態１と同様である。
【００４９】
まず、読取ったカードデータから個人情報を特定する（ステップ３０１〜３０３）。
【００５０】
個人情報が見つからなければ（ステップ３０４：ＮＯ）、このカードは使用できないため、読取った情報により不正通行を記録する（ステップ３２３）。
【００５１】
個人情報が存在すれば（ステップ３０４：ＹＥＳ）、当該個人情報に当該カードリーダ端末２に割り当てられた通行場所を通行する権限が設定されているか確認する（ステップ３０５）。
【００５２】
通行する権限が設定されていなければ（ステップ３０５：ＮＯ）、当該個人情報により不正通行を記録する（ステップ３２３）。
【００５３】
通行する権限が設定されていれば（ステップ３０５：ＹＥＳ）、通行可能な時間帯であるか確認する（ステップ３０６）。
【００５４】
通行可能な時間帯であれば（ステップ３０６：ＹＥＳ）、通行理由は通常動作であり（ステップ３０７）、電気錠を一時的に解錠し（ステップ３０８）、通行があったことを記録する（ステップ３０９）。このとき記録される通行理由は、ステップ３０７で設定された「通常」となる。
【００５５】
通行可能な時間帯でなければ（ステップ３０６：ＮＯ）、カードＩＤ照合手段１３は、通行理由入力催促手段２４によって通行希望者に通行理由入力手段２３を操作する必要があることを知らせる、例えばランプ１点灯状態とする（ステップ３１０）。
【００５６】
通行理由入力手段２３が操作されたら（ステップ３１１：ＹＥＳ）、カードＩＤ照合手段１３は、通行理由入力催促手段２４によって通行希望者に許可待ち（通信中）であることを知らせ、例えばランプ２点灯状態とし（ステップ３１２）、通行希望者の個人情報、当該通行場所、通行理由を合わせて表示処理装置３に通行承認要求を送信する（ステップ３１３）。
【００５７】
送信が成功しない場合（ステップ３１４：ＮＯ）は、カードＩＤ照合手段１３は、通行理由入力催促手段２４の表示を消去（ステップ３２２）し、不正通行を通行履歴データベースに記録する（ステップ３２３）。
【００５８】
送信が成功した場合（ステップ３１４：ＹＥＳ）は、カードＩＤ照合手段１３は、表示処理装置３からの通行承認応答を待つ（ステップ３１５）。表示処理装置３からの受信が異常（通信エラー）であったり、通行承認不可応答を受信した場合には、カードＩＤ照合手段１３は、通行理由入力催促手段２４の表示を消去（ステップ３２２）し、不正通行を通行履歴データベースに記録する（ステップ３２３）。
【００５９】
通行承認許可応答を受信した場合には、カードＩＤ照合手段１３は、通行理由を操作された理由とし（ステップ３１６）、通行理由入力催促手段２４の表示を消去（ステップ３１７）し、電気錠制御手段２２により電気錠を一時的に解錠し（ステップ３１８）、通行があったことを通行履歴データベースに記録する（ステップ３１９）。このとき記録される通行理由は、ステップ３１６で設定された操作された理由となる。そして、通行許可者として表示処理装置３のログイン情報の記録を通行履歴データベースに残す（ステップ３２０）。これにより通行を許可した者が記録される。
【００６０】
通行理由入力手段２３の操作は、一定時間（例えば、１０秒程度）待ち（ステップ３２１）、一定時間の間に通行理由入力手段２３が操作されなければ（ステップ３２１：ＹＥＳ）、カードＩＤ照合手段１３は、通行理由入力催促手段２４の表示を消去（ステップ３２２）し、不正通行を通行履歴データベースに記録する（ステップ３２３）。
【００６１】
ここで、表示処理装置３の動作について図１０を参照して説明する。
【００６２】
表示処理装置３を使用するために、この装置にログインされることを待つ（ステップ３５１）。この装置がＰＣ（パソコン）であれば、オペレーティングシステムのログイン手順でも代用できる。
【００６３】
ログインできたら（ステップ３５１：ＹＥＳ）、中央処理装置１からの通行承認要求を待つ（ステップ３５２）。中央処理装置１からの通行承認要求を受信したら、カードリーダ操作者個人情報表示手段３２は、電文中の通行希望者の個人情報や、通行場所、操作された通行理由をディスプレイ上に表示し（ステップ３５３）、通行許可者の承認操作を待つ（ステップ３５４）。
【００６４】
管理者などの通行許可者は、ステップ３５３で表示された情報を確認して、通行承認手段３３により、許可できる場合には許可操作を、許可できない場合には不可操作を行う。
【００６５】
通行承認手段３３は、許可操作の場合には、中央処理装置１に通行承認許可応答を送信する（ステップ３５５）。不可操作の場合には、中央処理装置１に通行承認不可応答を送信する（ステップ３５６）。なお、承認操作が一定時間（例えば、１０秒程度）内に行われなければ、この承認要求は不可操作されたものとみなす（ステップ３５６）。
【００６６】
いずれの通行承認応答の送信後は、通信完了待ちとなり（ステップ３５７）、送信成功、失敗の結果を表示（ステップ３５８）し、次の通行承認要求待ちとなる（ステップ３５２）。
【００６７】
上記の実施の形態１は、通行者自身の操作だけで通行可能で、上記の実施の形態２は、通行者以外の同行者、あるいは、守衛所の管理者などの判断により通行可能となるが、この実施の形態３では、比較的機密度が高い無人の通行場所については、通行希望者による例外的な通行の理由を設定する操作によって、通行理由と、認証された通行希望者の個人情報を遠隔地にある表示処理装置３に表示するためのカードリーダ操作者個人情報表示手段３２を設ける。さらに、表示処理装置３では当該認証装置に関連付けられた通行場所に対して通行許可（解錠など）を指示する通行承認手段３３を設ける。これにより、通行場所が無人であっても遠隔地で理由の妥当性を判定して例外的な通行を許可することができる。なお、理由の判定のためには認証装置以外に必要に応じてカメラ装置やインターホン装置などが組み合わせられれば遠隔で許可する者にとっては画像や通話により状況を判断する材料となるが、これらの装置の組合せは本実施の形態（発明）に必須のものではない。
【００６８】
上記の実施の形態２を拡張して、通行許可者に設定する通行理由設定権限を通行場所毎に指定できるようにしてもよい。この場合には、通行許可者は自身が管理する通行場所についてのみ例外的な通行を許可することができる。
【００６９】
上記の実施の形態３を拡張して、通行場所毎に通行承認要求電文の送信先である表示処理装置３を設置してもよい。この場合には、通行場所毎に表示される表示処理装置３を換えることができ、表示処理装置３を適切に配置することで、表示処理装置３の操作者が管理する通行場所についてのみ例外的な通行を許可することができる。
【００７０】
上記の実施の形態１〜３では、個人情報が存在した場合に当該カードリーダ端末に割り当てられた通行場所を通行する権限が設定されていないときは不正通行を記録していたが、機密性の低い場所では、個人情報が存在することだけで、各実施の形態における通行理由入力催促以降の動作に移行することで、通行許可されていない場所においても例外的な通行が可能となる。
【図面の簡単な説明】
【００７１】
【図１】この発明の実施の形態１に係る出入管理装置の構成を示すブロック図である。
【図２】この発明の実施の形態１に係る出入管理装置の動作を示すフローチャートである。
【図３】この発明の実施の形態１に係る出入管理装置の動作を示すフローチャートである。
【図４】この発明の実施の形態２に係る出入管理装置の構成を示すブロック図である。
【図５】この発明の実施の形態２に係る出入管理装置の動作を示すフローチャートである。
【図６】この発明の実施の形態２に係る出入管理装置の動作を示すフローチャートである。
【図７】この発明の実施の形態３に係る出入管理装置の構成を示すブロック図である。
【図８】この発明の実施の形態３に係る出入管理装置の動作を示すフローチャートである。
【図９】この発明の実施の形態３に係る出入管理装置の動作を示すフローチャートである。
【図１０】この発明の実施の形態３に係る出入管理装置の表示処理装置の動作を示すフローチャートである。
【符号の説明】
【００７２】
１  中央処理装置、２  カードリーダ端末、３  表示処理装置、１１  カード発行手段、１２  個人情報設定手段、１３  カードＩＤ照合手段、１４、１４Ａ  個人情報データベース、１５  表示処理装置通信手段、２１  カードデータ読取り手段、２２  電気錠制御手段、２３  通行理由入力手段、２４  通行理由入力催促手段、３１  中央処理装置通信手段、３２  カードリーダ操作者個人情報表示手段、３３  通行承認手段。
【図１】
2008214862.tif 000003
【図２】
2008214862.tif 000004
【図３】
2008214862.tif 000005
【図４】
2008214862.tif 000006
【図５】
2008214862.tif 000007
【図６】
2008214862.tif 000008
【図７】
2008214862.tif 000009
【図８】
2008214862.tif 000010
【図９】
2008214862.tif 000011
【図１０】
2008214862.tif 000012